(57)【特許請求の範囲】
【請求項１】
時計機能を有する回路と、
前記時計機能を有する回路に電力を供給するシステム電源と、
ストロボ用コンデンサと、
前記システム電源から前記時計機能を有する回路に電力を供給する場合と、前記ストロボ用コンデンサから前記時計機能を有する回路に電力を供給する場合とを切り替える切り替え回路とを備え、
通常動作時に、前記システム電源の電力と前記ストロボ用コンデンサの電力とが供給可能に構成され、
前記切り替え回路は、前記システム電源が前記ストロボ用コンデンサからの電圧以下になった場合に、前記ストロボ用コンデンサから前記時計機能を有する回路以外には電力を供給せずに前記時計機能を有する回路に電力を供給するように構成されている、撮像装置。
【請求項２】
前記ストロボ用コンデンサの電圧を、前記時計機能を有する回路を動作させる所定の電圧に変換して前記時計機能を有する回路に供給するための電圧変換供給部をさらに備える、請求項１に記載の撮像装置。
【請求項３】
前記電圧変換供給部により変換される所定の電圧は、前記時計機能を有する回路を動作可能で、かつ、前記システム電源よりも低い電圧である、請求項２に記載の撮像装置。
【請求項４】
前記電圧変換供給部により変換される所定の電圧は、前記ストロボ用コンデンサの放電時の電圧よりも低い電圧である、請求項２または３に記載の撮像装置。
【請求項５】
前記切り替え回路は、
前記ストロボ用コンデンサ側に配置され、前記システム電源が前記ストロボ用コンデンサからの電圧以下になった状態で、前記ストロボ用コンデンサからの電力を前記時計機能を有する回路以外には供給せずに前記時計機能を有する回路に供給する第１電力供給部と、
前記システム電源側に配置され、通常動作時に、前記システム電源からの電力を前記時計機能を有する回路に供給する第２電力供給部とを含み、
前記時計機能を有する回路は、前記第１電力供給部と前記第２電力供給部との間に接続されている、請求項１〜４のいずれか１項に記載の撮像装置。
【発明の詳細な説明】
【技術分野】
【０００１】
この発明は、撮像装置に関し、特に、時計機能を有する回路を備えた撮像装置に関する。
【背景技術】
【０００２】
従来、撮像装置本体には、撮影日時を記録するための時計の役割をする回路（ＲＴＣ（リアルタイムクロック））が設けられている。また、システム電源の電力低下が原因でシステムの動作が停止することを防止する構成が知られている（たとえば、特許文献１〜４参照）。
【０００３】
上記特許文献１には、カメラ本体のシステム電源を切ったときに、カメラのレンズを本体に格納するなどの終了処理を行うための電源として、ストロボ用コンデンサで充電された電力を利用する構成が開示されている。
【０００４】
また、上記特許文献２には、カメラで撮影するときや撮影した画像をカメラ本体で再生するときなどの処理回路を作動させるためのシステム電源として、ストロボ用コンデンサで充電された電力を利用する構成が開示されている。
【０００５】
また、上記特許文献３には、カメラに内蔵されているモータを駆動させるための駆動電源として、ストロボ用コンデンサで充電された電力を利用する構成が開示されている。
【０００６】
また、上記特許文献４には、システム電源の電力低下に起因してシステムの動作が停止することを防止するための防止機能が開示されている。
【０００７】
【特許文献１】特開２００５−０４３６６４号公報
【特許文献２】特開２００５−１５１０５０号公報
【特許文献３】特許第３４２０８１４号公報
【特許文献４】特開２００６−３１９９９６号公報
【発明の開示】
【発明が解決しようとする課題】
【０００８】
しかしながら、上記特許文献１に記載の構成では、撮像装置のレンズを本体に格納するなどの終了処理を行うための電源として、ストロボ用コンデンサで充電された電力を利用するため、終了処理を行う際にシステム電源の負担を軽減することが可能である一方、時計機能を有する回路（ＲＴＣ）に供給される電力はシステム電源または時計機能を有する回路（ＲＴＣ）専用の電源であると考えられるため、システム電源または時計機能を有する回路（ＲＴＣ）専用の電源の電力が低下した際は、時計機能を有する回路（ＲＴＣ）の機能が低下するという問題点があると考えられる。
【０００９】
また、上記特許文献２に記載の構成では、カメラで撮影するときや撮影した画像をカメラ本体で再生するとき画像処理回路を作動させるための電源として、ストロボ用コンデンサで充電された電力を利用するため、画像処理を行う際にシステム電源の負担を軽減することが可能である一方、時計機能を有する回路（ＲＴＣ）に供給される電力はシステム電源または時計機能を有する回路（ＲＴＣ）専用の電源であると考えられるため、システム電源または時計機能を有する回路（ＲＴＣ）専用の電源の電力が低下した際は、時計機能を有する回路（ＲＴＣ）の機能が低下するという問題点があると考えられる。
【００１０】
また、上記特許文献３に記載の構成では、カメラに内蔵されているモータを駆動させるための電源として、ストロボ用コンデンサで充電された電力を利用するため、モータを駆動させる際にシステム電源の負担を軽減することが可能である一方、時計機能を有する回路（ＲＴＣ）に供給される電力はシステム電源または時計機能を有する回路（ＲＴＣ）専用の電源であると考えられるため、システム電源または時計機能を有する回路（ＲＴＣ）専用の電源の電力が低下した際は、時計機能を有する回路（ＲＴＣ）の機能が低下するという問題点があると考えられる。
【００１１】
また、上記特許文献４に記載の構成では、システムの動作が停止することを防止するための防止機能を備えているため、システムの動作が停止しにくくなる一方、時計機能を有する回路（ＲＴＣ）に供給される電力はシステム電源または時計機能を有する回路（ＲＴＣ）専用の電源であると考えられるため、システム電源または時計機能を有する回路（ＲＴＣ）専用の電源の電力が低下した際は、時計機能を有する回路（ＲＴＣ）の機能が低下するという問題点があると考えられる。
【００１２】
この発明は、上記のような課題を解決するためになされたものであり、この発明の１つの目的は、システム電源の電圧が低下した場合でも、時計機能を有する回路を正常に機能させることが可能な撮像装置を提供することである。
【課題を解決するための手段および発明の効果】
【００１３】
この発明の一の局面による撮像装置は、時計機能を有する回路と、時計機能を有する回路に電力を供給するシステム電源と、ストロボ用コンデンサと、システム電源から時計機能を有する回路に電力を供給する場合と、ストロボ用コンデンサから時計機能を有する回路に電力を供給する場合とを切り替える切り替え回路とを備え、通常動作時に、システム電源の電力とストロボ用コンデンサの電力とが供給可能に構成され、切り替え回路は、システム電源がストロボ用コンデンサからの電圧以下になった場合に、ストロボ用コンデンサから時計機能を有する回路以外には電力を供給せずに時計機能を有する回路に電力を供給するように構成されている。
【００１４】
この一の局面による撮像装置では、上記のように、通常動作時に、システム電源の電力とストロボ用コンデンサの電力とが供給可能に構成され、切り替え回路が、システム電源がストロボ用コンデンサからの電圧以下になった場合に、ストロボ用コンデンサから時計機能を有する回路以外には電力を供給せずに時計機能を有する回路へ電力を供給されるように構成することによって、システム電源から時計機能を有する回路への電力供給が低下した場合にも、ストロボ用コンデンサから時計機能を有する回路へ電力が供給される。この結果、システム電源の電圧が低下しても時計機能を有する回路の機能が停止することはないので、システム電源の電圧が低下する毎に時計機能の再設定をする必要がなくなる。
【００１５】
上記一の局面による撮像装置において、好ましくは、ストロボ用コンデンサの電圧を、時計機能を有する回路を動作させる所定の電圧に変換して時計機能を有する回路に供給するための電圧変換供給部をさらに備える。このように構成すれば、コンデンサで蓄えた電圧を時計機能を有する回路が作動する作動電圧に変換することができるので、コンデンサで蓄えた電圧を時計機能を有する回路を作動させるために利用することができる。
【００１６】
この場合、好ましくは、電圧変換供給部により変換される所定の電圧は、時計機能を有する回路を動作可能で、かつ、システム電源よりも低い電圧である。このように構成すれば、システム電源の電圧が低くなり、電圧変換供給部により変換される所定の電圧の方が高くなった際に、時計機能を有する回路へ電力を供給することができるので、システム電源の電圧が低くなった場合でも、容易に時計機能を有する回路を作動させることができる。
【００１７】
上記時計機能を有する回路に供給するための電圧変換供給部を備えた構成において、好ましくは、電圧変換供給部により変換される所定の電圧は、ストロボ用コンデンサの放電時の電圧よりも低い電圧である。このように構成すれば、コンデンサが放電した状態である場合にも、容易に、電圧変換供給部により時計機能を有する回路を作動させるための適切な電圧に変換することができる。
【００１９】
この場合、好ましくは、切り替え回路は、ストロボ用コンデンサ側に配置され、システム電源がストロボ用コンデンサからの電圧以下になった状態で、ストロボ用コンデンサからの電力を時計機能を有する回路以外には供給せずに時計機能を有する回路に供給する第１電力供給部と、システム電源側に配置され、通常動作時に、システム電源からの電力を時計機能を有する回路に供給する第２電力供給部とを含み、時計機能を有する回路は、第１電力供給部と第２電力供給部との間に接続されている。このように構成すれば、時計機能を有する回路に供給する電力を第１電力供給部および第２電力供給部を用いて容易に切り替えることができる。
【発明を実施するための最良の形態】
【００２０】
以下、本発明を具体化した実施形態を図面に基づいて説明する。
【００２１】
（第１実施形態）
図１および図２は、本発明の第１実施形態によるビデオカメラの全体構成を示す斜視図である。図３は、本発明の第１実施形態によるビデオカメラの正面図である。また、図４は、本発明の第１実施形態によるビデオカメラの全体構成を示すブロック図である。図５は、本発明の第１実施形態によるビデオカメラの電圧変換供給部を示す回路図である。図６は、本発明の第１実施形態によるビデオカメラの切り替え回路を示す回路図である。まず、図１〜図６を参照して、本発明の第１実施形態によるビデオカメラ１の構成について説明する。なお、ビデオカメラ１は、本発明の「撮像装置」の一例である。
【００２２】
本発明の第１実施形態によるビデオカメラ１は、図１〜図３に示すように、レンズ２と、ファインダ３と、ストロボ４と、撮影／録画ボタン５と、操作ボタン６と、撮像した画像を再生表示する表示画面７と、電源ボタン８とによって構成されている。
【００２３】
また、ファインダ３は、ユーザがファインダ３を介して被写体を見ながら、撮影または録画範囲を決定することが可能なように構成されている。また、ストロボ４は、撮影時に発光する機能を有している。また、撮影／録画ボタン５は、撮影時に押圧することにより、撮影が行われるとともに、録画時に押圧することにより録画が行われるように構成されている。また、操作ボタン６は、図３に示すように、上下ボタン６ａと、左右ボタン６ｂとにより構成されているとともに、表示画面７に再生表示される画面の指示に従って設定の変更の操作などを行うために設けられている。また、表示画面７は、撮影した画像を再生表示するとともに、ビデオカメラ１の各種設定を行うメニュー画面（図示せず）を表示するために設けられている。また、メニュー画面（図示せず）における各種設定は、操作ボタン６を操作して設定するように構成されている。また、電源ボタン８は、ビデオカメラ１のＯＮ／ＯＦＦの設定を行うために設けられている。
【００２４】
また、図４に示すように、ビデオカメラ１の内部には、制御回路部１ａが設けられている。この制御回路部１ａは、メモリ部１ｂおよび制御部（ＣＰＵ）１ｃから構成されている。また、ビデオカメラ１の内部には、システム電源９と、撮像素子１０と、ストロボ充電回路１１と、ストロボ用コンデンサ１２と、電圧変換供給回路１３と、切り替え回路１４と、時計機能を有する回路（ＲＴＣ）１５とが設けられている。なお、電圧変換供給回路１３は、本発明の「電圧変換供給部」の一例である。メモリ部１ｂは、各種動作プログラムが格納されているとともに、撮影された画像データを記憶するために設けられている。また、制御部（ＣＰＵ）１ｃは、上記した各種動作プログラムによりビデオカメラ１の動作を制御するように構成されている。また、ストロボ充電回路１１は、システム電源９と、ストロボ用コンデンサ１２とに接続されている。ストロボ充電回路１１は、システム電源９から供給された電力を昇圧し、ストロボ用コンデンサ１２へ供給するように構成されている。
【００２５】
ここで、第１実施形態では、ストロボ用コンデンサ１２は、電圧変換供給回路１３と、ストロボ４とに接続されている。ストロボ用コンデンサ１２は、ストロボ充電回路１１により昇圧された電力が供給されるとともに、電圧変換供給回路１３およびストロボ４へ電力を供給するように構成されている。また、電圧変換供給回路１３は、切り替え回路１４に接続されている。電圧変換供給回路１３は、ストロボ用コンデンサ１２から電力を供給され、供給された電力を切り替え回路１４へ供給されるように構成されている。また、切り替え回路１４は、システム電源９と、ＲＴＣ１５とに接続されている。切り替え回路１４は、システム電源９から供給される電力と、電圧変換供給回路１３から供給される電力とを切り替えて、ＲＴＣ１５に供給するように構成されている。
【００２６】
また、ストロボ用コンデンサ１２は、充電時には、数百ボルトの電圧が充電され、放電時には、数十ボルトの電圧が充電されている。また、第１実施形態では、システム電源９は、約３．３Ｖの電圧に設定されている。そして、システム電源９の電圧が、電池の消耗や電池の交換の際の電池の取り外しにより、電圧変換供給回路１３から出力される電圧（約１．５Ｖ〜約２．０Ｖ）以下に低下した場合に、ストロボ用コンデンサ１２からＲＴＣ１５に電力を供給するように構成されている。
【００２７】
また、電圧変換供給回路１３には、図５に示すように、抵抗１３ａと、バイポーラトランジスタ１３ｂと、ツェナダイオード１３ｃと、コンデンサ１３ｄと、コンデンサ１３ｅとが設けられている。
【００２８】
また、電圧変換供給回路１３の入力端子（ＩＮ）は、バイポーラトランジスタ１３ｂのコレクタ（Ｃ）と、抵抗１３ａの一方端とに接続されている。また、バイポーラトランジスタ１３ｂのベース（Ｂ）は、抵抗１３ａの他方端と、コンデンサ１３ｄの一方電極と、ツェナダイオード１３ｃのカソード（Ｋ）とに接続されている。また、バイポーラトランジスタ１３ｂのエミッタ（Ｅ）は、電圧変換供給回路１３の出力端子（ＯＵＴ）と、コンデンサ１３ｅの一方電極とに接続されている。また、コンデンサ１３ｄの他方電極は、ツェナダイオード１３ｃのアノード（Ａ）と、コンデンサ１３ｅの他方電極とに接続されている。なお、コンデンサ１３ｄの他方電極、コンデンサ１３ｅの他方電極、およびツェナダイオード１３ｃのアノード（Ａ）は接地されている。
【００２９】
ここで、第１実施形態では、電圧変換供給回路１３により変換される電圧（出力電圧）は、システム電源９の電圧（約３．３Ｖ）よりも低い電圧（約１．５Ｖ〜約２．０Ｖ）である。また、電圧変換供給回路１３により変換される電圧（出力電圧）は、ストロボ用コンデンサ１２の放電時の電圧（数十ボルト）よりも低い電圧（約１．５Ｖ〜約２．０Ｖ）である。
【００３０】
ここで、第１実施形態では、図６に示すように、システム電源９からＲＴＣ１５に電力を供給する場合と、ストロボ用コンデンサ１２からＲＴＣ１５に電力を供給する場合とを切り替える切り替え回路１４を備えている。また、切り替え回路１４は、ストロボ用コンデンサ１２側に配置され、システム電源９が所定の電圧以下になった状態で、ストロボ用コンデンサ１２からの電力をＲＴＣ１５に供給する第１電力供給部１４１と、システム電源９側に配置され、通常動作時に、システム電源９からの電力をＲＴＣ１５に供給する第２電力供給部１４２とを含んでいる。この第１電力供給部１４１は、１つのダイオード１４３のみにより構成され、第２電力供給部１４２は、１つのダイオード１４４のみにより構成されている。
【００３１】
また、図６に示すように、切り替え回路１４のＶｂａｃｋ端子は、図５に示す電圧変換供給回路１３の出力端子（ＯＵＴ）と接続される。また、Ｖｂａｃｋ端子は、ダイオード１４３のアノード（Ａ）と接続されている。また、ダイオード１４３のカソード（Ｋ）は、ダイオード１４４のカソード（Ｋ）と、ＲＴＣ１５とに接続されている。また、ダイオード１４４のアノード（Ａ）は、Ｖｓｙｓ端子と接続されている。また、ダイオード１４４のカソード（Ｋ）は、ＲＴＣ１５に接続されている。また、ＲＴＣ１５は、接地されている。
【００３２】
図５は、本発明の第１実施形態による電圧変換供給回路の動作を説明するための回路図である。また、図６は、本発明の第１実施形態による切り替え回路の動作を説明するための回路図である。
【００３３】
まず、本発明の第１実施形態による電圧変換供給回路１３の動作について説明する。
【００３４】
図５に示すように、入力端子（ＩＮ）から入力された電流の一部は、バイポーラトランジスタ１３ｂのコレクタ（Ｃ）へ流れる。また、残りの電流は、抵抗１３ａを介して、バイポーラトランジスタ１３ｂのベース（Ｂ）およびツェナダイオード１３ｃのカソード（Ｋ）に流れる。この場合、バイポーラトランジスタ１３ｂはＯＮ状態となり、コレクタ（Ｃ）−エミッタ（Ｅ）間に電流が流れる。これにより、コレクタ（Ｃ）電流と、ベース（Ｂ）電流とを合計した電流が出力端子（ＯＵＴ）に出力される。また、ツェナダイオード１３ｃのアノード（Ａ）の電位（ＧＮＤ）に対するカソード（Ｋ）の電位が一定の電位（降伏電圧）以上に上昇すると、カソード（Ｋ）からアノード（Ａ）に電流が流れるようになる。このように、カソード（Ｋ）からアノード（Ａ）に電流が流れることによって、カソード（Ｋ）の電位は一定（降伏電圧）になる。この場合、出力端子（ＯＵＴ）の出力電圧は、ツェナダイオードのカソード（Ｋ）の電圧（降伏電圧）と、バイポーラトランジスタ１３ｂのベース（Ｂ）−エミッタ（Ｅ）間の電圧（一定）との合計電圧になる。このため、入力電圧に拘らず、電圧変換供給回路１３の出力電圧は一定となる。なお、電圧変換供給回路１３のコンデンサ１３ｄおよびコンデンサ１３ｅは、回路の安定化やノイズを低減するために設けられている。
【００３５】
次に、本発明の第１実施形態による切り替え回路１４の動作について説明する。
【００３６】
図６に示すように、通常時には、Ｖｓｙｓ端子（システム電源９側の端子）の電圧（約３．３Ｖ）は、Ｖｂａｃｋ端子（電圧変換供給回路１３側のバックアップ端子）の電圧（約１．５Ｖ〜約２．０Ｖ）よりも高いため、Ｖｓｙｓ端子からＲＴＣ１５に電力が供給される。すなわち、Ｖｓｙｓ端子の電流は、ダイオード１４４を介して、ダイオード１４３およびＲＴＣ１５に流れる。しかし、ダイオード１４３は、Ｖｓｙｓ端子から見て逆方向に設けられているため、Ｖｂａｃｋ端子側へは電流が流れない。
【００３７】
また、電池の消耗や電池交換の際の電池の取り外しにより、Ｖｓｙｓ端子（システム電源９）の電圧がＶｂａｃｋ端子（電圧変換供給回路１３の出力電圧）の電圧（約１．５Ｖ〜約２．０Ｖ）より低くなると、Ｖｂａｃｋ端子からの電力はダイオード１４３を介して、ＲＴＣ１５に供給される。また、ダイオード１４４は、Ｖｂａｃｋ端子から見て、逆方向に設けられているため、Ｖｂａｃｋ端子からの電力は、Ｖｓｙｓ端子方向へは流れない。
【００３８】
第１実施形態では、上記のように、通常動作時に、システム電源９の電力と、ストロボ用コンデンサ１２の電力とを供給可能に構成するとともに、システム電源９がストロボ用コンデンサ１２からの電圧以下になった場合に、ストロボ用コンデンサ１２からＲＴＣ１５以外には電力を供給せずにＲＴＣ１５へ電力を供給されるように構成することによって、電池の消耗や電池交換の際の電池の取り外しにより、システム電源９の電圧が低下した場合にも、ストロボ用コンデンサ１２からＲＴＣ１５へ電力が供給される。この結果、システム電源９の電圧が低下してもＲＴＣ１５の機能が低下することはないので、システム電源９の電圧が低下する毎に時計機能の再設定をする必要がなくなる。
【００３９】
また、第１実施形態では、ストロボ用コンデンサ１２の電圧を、ＲＴＣ１５を動作させる所定の電圧に変換してＲＴＣ１５に供給するための電圧変換供給回路１３をさらに備えるように構成することによって、ストロボ用コンデンサ１２で蓄えた電圧（数百ボルト〜数十ボルト）を時計機能が作動する作動電圧（約１．５Ｖ〜約２．０Ｖ）に変換することができるので、ストロボ用コンデンサ１２で蓄えた電力をＲＴＣ１５を作動させるために利用することができる。
【００４０】
また、第１実施形態では、電圧変換供給回路１３により変換される所定の電圧（約１．５Ｖ〜約２．０Ｖ）は、ＲＴＣ１５を動作可能で、かつ、システム電源９の電圧（約３．３Ｖ）よりも低い電圧であるように構成することによって、たとえば、システム電源９の電圧が低下し、電圧変換供給回路１３の出力電圧の方が高くなった際に、電圧変換供給回路１３からＲＴＣ１５へ電力を供給することができるので、システム電源９の電圧が低下した場合でも、容易にＲＴＣ１５を作動させることができる。
【００４１】
また、第１実施形態では、電圧変換供給回路１３の出力電圧は、ストロボ用コンデンサ１２の放電時の電圧（数十ボルト）よりも低い電圧（約１．５Ｖ〜約２．０Ｖ）であるように構成することによって、ストロボ用コンデンサ１２が放電した状態である場合にも、容易に、電圧変換供給回路１３によりＲＴＣ１５を作動させるための電力を供給することができる。
【００４２】
また、第１実施形態では、システム電源９からＲＴＣ１５に電力を供給する場合と、ストロボ用コンデンサ１２からＲＴＣ１５に電力を供給する場合とを切り替える切り替え回路１４をさらに備えるように構成することによって、システム電源９の電圧が低下した場合に、容易に、切り替え回路１４により、システム電源９からストロボ用コンデンサ１２に電源を切り替えることができる。
【００４３】
また、第１実施形態では、切り替え回路１４は、ストロボ用コンデンサ１２側に配置され、システム電源９がストロボ用コンデンサ１２からの電圧以下になった状態で、ストロボ用コンデンサ１２からの電力をＲＴＣ１５以外には電力を供給せずにＲＴＣ１５に供給するダイオード１４３からなる第１電力供給部１４１と、システム電源９側に配置され、通常動作時に、システム電源９からの電力をＲＴＣ１５に供給するダイオード１４４からなる第２電力供給部１４２とを含み、ＲＴＣ１５は、第１電力供給部１４１と第２電力供給部１４２との間に接続されるように構成することによって、ＲＴＣ１５に供給する電力を第１電力供給部１４１および第２電力供給部１４２を用いて容易に切り替えることができる。
【００４４】
（第２実施形態）
図７は、本発明の第２実施形態による切り替え回路の構成および動作を説明するための回路図である。次に、図７を参照して、本発明の第２実施形態による切り替え回路１４ａの構成について説明する。なお、この第２実施形態における電圧変換供給回路１３の動作は上記第１実施形態と同様であるので、その説明を省略する。また、第２実施形態の切り替え回路１４ａ以外の構成は上記第１実施形態と同様である。
【００４５】
図７に示すように、この第２実施形態の切り替え回路１４ａには、第１電力供給部１４１ａと、第２電力供給部１４２ａとが設けられている。また、第１電力供給部１４１ａは、１つのダイオード１４９ａのみから構成されている。
【００４６】
ここで、第２実施形態では、上記第１実施形態とは異なり、切り替え回路１４ａの第２電力供給部１４２ａは、コンデンサ１４３ａと、バイポーラトランジスタ１４４ａと、バイポーラトランジスタ１４５ａと、抵抗１４６ａと、抵抗１４７ａと、抵抗１４８ａとによって構成されている。
【００４７】
また、切り替え回路１４ａのＶｂａｃｋ端子（電圧変換供給回路１３側のバックアップ端子）は、ダイオード１４９ａのアノード（Ａ）に接続されている。また、ダイオード１４９ａのカソード（Ｋ）は、バイポーラトランジスタ１４４ａのコレクタ（Ｃ）と、コンデンサ１４３ａの一方電極と、ＲＴＣ１５とに接続されている。また、バイポーラトランジスタ１４４ａのベース（Ｂ）は、抵抗１４６ａの一方端と接続されている。また、バイポーラトランジスタ１４４ａのエミッタ（Ｅ）は、Ｖｓｙｓ端子（システム電源９側の端子）と、抵抗１４７ａの一方端とに接続されている。また、抵抗１４６ａの他方端は、バイポーラトランジスタ１４５ａのコレクタ（Ｃ）に接続されている。また、抵抗１４７ａの他方端は、バイポーラトランジスタ１４５ａのベース（Ｂ）と、抵抗１４８ａの一方端とに接続されている。また、抵抗１４８ａの他方端は、バイポーラトランジスタ１４５ａのエミッタ（Ｅ）と、コンデンサ１４３ａの他方電極と、ＲＴＣ１５とに接続されている。なお、抵抗１４８ａの他方端、バイポーラトランジスタ１４５ａのエミッタ（Ｅ）、コンデンサ１４３ａの他方電極およびＲＴＣ１５の他方端は、接地されている。なお、コンデンサ１４３ａは、回路の安定化やノイズを低減するために設けられている。
【００４８】
次に、本発明の第２実施形態による切り替え回路１４ａの動作について説明する。
【００４９】
図７に示すように、通常時には、切り替え回路１４ａのＶｓｙｓ端子（システム電源９側の端子）の電圧（約３．３Ｖ）は、Ｖｂａｃｋ端子（電圧変換供給回路１３側のバックアップ端子）の電圧（約１．５Ｖ〜約２．０Ｖ）よりも高いため、Ｖｓｙｓ端子から電力が供給される。Ｖｓｙｓ端子の電流の一部は、バイポーラトランジスタ１４４ａのエミッタ（Ｅ）に流れる。また、残りの電流は、抵抗１４７ａに流れる。抵抗１４７ａを流れた電流の一部は、バイポーラトランジスタ１４５ａのベース（Ｂ）に流れる。この場合（通常時）、バイポーラトランジスタ１４５ａはＯＮ状態になり、バイポーラトランジスタ１４５ａのコレクタ（Ｃ）と、エミッタ（Ｅ）との間に電流が流れる。また、残りの電流は、抵抗１４８ａを介して、アースに流れる。
【００５０】
また、バイポーラトランジスタ１４５ａがＯＮ状態になると、バイポーラトランジスタ１４４ａのベース（Ｂ）からバイポーラトランジスタ１４５ａのコレクタ（Ｃ）に電流が流れるので、バイポーラトランジスタ１４４ａもＯＮ状態になる。この場合、バイポーラトランジスタ１４４ａのエミッタ（Ｅ）と、コレクタ（Ｃ）との間に電流が流れる。そして、バイポーラトランジスタ１４４ａのコレクタ（Ｃ）から出力された電流の一部はダイオード１４９ａ側に流れようとするが、ダイオード１４９ａは、Ｖｓｙｓ端子側から見て逆方向に設けられているため、Ｖｂａｃｋ端子側へは電流は流れない。したがって、バイポーラトランジスタ１４４ａのコレクタ（Ｃ）から出力された電流は、ＲＴＣ１５に供給される。
【００５１】
また、電池の消耗や電池交換の際の電池の取り外しにより、Ｖｓｙｓ端子（システム電源９）の電圧がＶｂａｃｋ端子（電圧変換供給回路１３の出力電圧）の電圧（約１．５Ｖ〜約２．０Ｖ）より低くなると、Ｖｂａｃｋ端子からの電力はダイオード１４９ａを介して、ＲＴＣ１５に供給される。この場合、Ｖｓｙｓ端子の電圧低下に起因して、Ｖｓｙｓ端子の電圧を抵抗１４７ａおよび１４８ａの抵抗分割することにより得られるバイポーラトランジスタ１４５ａのベース（Ｂ）電圧が低下するとともに、バイポーラトランジスタ１４５ａのベース（Ｂ）−エミッタ（Ｅ）間の電圧も低下する。このため、バイポーラトランジスタ１４５ａはＯＦＦ状態となり、コレクタ（Ｃ）−エミッタ（Ｅ）間に電流が流れない。これにより、バイポーラトランジスタ１４４ａのベース（Ｂ）に電流が流れないので、バイポーラトランジスタ１４４ａもＯＦＦ状態になり、コレクタ（Ｃ）−エミッタ（Ｅ）間に電流が流れない。すなわち、Ｖｓｙｓ端子側からＲＴＣ１５には電力が供給されない。なお、バイポーラトランジスタ１４５ａがＯＦＦ状態になる時点の電圧は、抵抗１４７ａおよび抵抗１４８ａの抵抗値を適宜設定することによって、調整可能である。
【００５２】
第２実施形態では、システム電源９側に、システム電源９からの電力をＲＴＣ１５に供給するコンデンサ１４３ａと、バイポーラトランジスタ１４４ａと、バイポーラトランジスタ１４５ａと、抵抗１４６ａと、抵抗１４７ａと、抵抗１４８ａとからなる第２電力供給部１４２ａを設けることによって、Ｖｓｙｓ端子の電圧が低下した場合に、第２電力供給部１４２ａを流れる電流を完全に遮断することができるので、ストロボ用コンデンサ１２からの電力をより安定的にＲＴＣ１５に供給することができる。
【００５３】
（第３実施形態）
図８および図９は、本発明の第３実施形態による切り替え回路の構成および動作を説明するための回路図である。次に、図８および図９を参照して、本発明の第３実施形態による切り替え回路１４ｂの構成について説明する。なお、この第３実施形態における電圧変換供給回路１３の動作は上記第１および第２実施形態と同様であるのでその説明を省略する。また、第３実施形態の切り替え回路１４ｂ以外の構成は上記第１および第２実施形態と同様である。
【００５４】
図８および図９に示すように、この第３実施形態の切り替え回路１４ｂには、第１電力供給部１４１ｂと、第２電力供給部１４２ｂと、電圧検出器１６とが設けられている。
【００５５】
ここで、第３実施形態では、上記第１および第２実施形態とは異なり、切り替え回路１４ｂの第１電力供給部１４１ｂは、スイッチ１４３ｂと、反転回路１７とによって構成されている。また、第２電力供給部１４２ｂは、スイッチ１４４ｂのみから構成されている。
【００５６】
図８および図９に示すように、切り替え回路１４ｂのＶｂａｃｋ端子（電圧変換供給回路１３側のバックアップ端子）は、スイッチ１４３ｂに接続されている。また、スイッチ１４３ｂは、スイッチ１４４ｂと、ＲＴＣ１５とに接続されている。また、ＲＴＣ１５は、接地されている。また、スイッチ１４４ｂは、Ｖｓｙｓ端子（システム電源９側の端子）と、電圧検出器１６とに接続されている。また、電圧検出器１６は、スイッチ１４３ｂおよびスイッチ１４４ｂに接続されている。
【００５７】
次に、本発明の第３実施形態による切り替え回路１４ｂの動作について説明する。
【００５８】
図８に示すように、通常時には、切り替え回路１４ｂのＶｓｙｓ端子（システム電源９側の端子）の電圧（約３．３Ｖ）は、Ｖｂａｃｋ端子（電圧変換供給回路１３側のバックアップ端子）の電圧（約１．５Ｖ〜約２．０Ｖ）よりも高いため、Ｖｓｙｓ端子から電力が供給される。この供給されたＶｓｙｓ端子の電圧を電圧検出器１６が検出する。また、電圧検出器１６は、検出された電圧が、所定の電圧（約１．５Ｖ〜約２．０Ｖ）よりも高ければＨレベルの信号を第１電力供給部１４１ｂおよび第２電力供給部１４２ｂのそれぞれに出力する。そして、第２電力供給部１４２ｂのスイッチ１４４ｂがＨレベルの信号に基づいて回路を閉じるように作動する。一方、第１電力供給部１４１ｂに出力されたＨレベルの信号は、電圧検出器１６と、第１電力供給部１４１ｂとの間に設けられている反転回路１７によって、反転されてＬレベルの信号になる。そして、第１電力供給部１４１ｂのスイッチ１４３ｂはＬレベルの信号に基づいて回路を開くように作動する。すなわち、電圧検出器１６によって、Ｈレベルが出力された場合は、スイッチ１４４ｂが閉じるので、Ｖｓｙｓ端子側からの電力がＲＴＣ１５に供給される一方、Ｖｂａｃｋ端子側からの電力は、スイッチ１４３ｂが開いているためＲＴＣ１５には供給されない。
【００５９】
また、電池の消耗や電池交換の際の電池の取り外しにより、Ｖｓｙｓ端子（システム電源９）の電圧がＶｂａｃｋ端子（電圧変換供給回路１３の出力電圧）の電圧（約１．５Ｖ〜約２．０Ｖ）より低くなった場合でも、図９に示すように、Ｖｓｙｓ端子の電圧は、第２電力供給部１４２ｂのスイッチ１４４ｂと、電圧検出器１６とに供給される。この供給されたＶｓｙｓ端子の電圧を電圧検出器１６が検出する。また、電圧検出器１６は、検出された電圧が、所定の電圧（約１．５Ｖ〜約２．０Ｖ）よりも低ければ、Ｌレベルの信号を第１電力供給部１４１ｂおよび第２電力供給部１４２ｂのそれぞれに出力する。そして、第２電力供給部１４２ｂのスイッチ１４４ｂがＬレベルの信号に基づいて回路を開くように作動する。一方、電圧検出器１６から第１電力供給部１４１ｂへ出力されたＬレベルの信号は、電圧検出器１６と、第１電力供給部１４１ｂとの間に設けられている反転回路１７によって、反転されてＨレベルの信号になる。そして、第１電力供給部１４１ｂのスイッチ１４３ｂはＨレベルの信号に基づいて回路を閉じるように作動する。すなわち、電圧検出器１６によって、Ｌレベルが出力された場合は、スイッチ１４３ｂが閉じるので、Ｖｂａｃｋ端子の電力がＲＴＣ１５に供給される一方、Ｖｓｙｓ端子側からの電力は、スイッチ１４４ｂが開いているためＲＴＣ１５には供給されない。
【００６０】
第３実施形態では、切り替え回路１４ｂは、ストロボ用コンデンサ１２側に配置され、システム電源９がストロボ用コンデンサ１２からの電圧以下になった状態で、ストロボ用コンデンサ１２からの電力をＲＴＣ１５以外には電力を供給せずにＲＴＣ１５に供給するスイッチ１４３ｂと、反転回路１７とからなる第１電力供給部１４１ｂと、システム電源９側に配置され、通常動作時に、システム電源９からの電力をＲＴＣ１５に供給するスイッチ１４４ｂのみからなる第２電力供給部１４２ｂとを含み、ＲＴＣ１５は、第１電力供給部１４１ｂと、第２電力供給部１４２ｂとの間に接続されている。このように構成することによって、回路の開閉を行うことができる。このことより、電流の流れる方向を変えるだけでなく、スイッチのＯＮ、ＯＦＦによって、電流の遮断および接続を確実かつ容易に行うことができる。また、電流の遮断および接続を確実に行うことにより、より安定的にＲＴＣ１５に電力を供給することができる。
【００６１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６２】
たとえば、上記第１〜第３実施形態では、電圧変換供給回路１３として図５に示すような回路を設けている例を示したが、本発明はこれに限らず、電圧変換供給回路１３の出力端子からＲＴＣ１５を作動させることができる電力が出力されればよい。たとえば、ＲＴＣ１５の駆動電圧の範囲が広い場合には、図１０に示す変形例のように、電圧変換供給回路１３を抵抗１８のみで構成してもよい。
【図面の簡単な説明】
【００６３】
【図１】本発明の第１実施形態によるビデオカメラの全体構成を示す斜視図である。
【図２】図１に示した本発明の第１実施形態によるビデオカメラの全体構成を説明するための斜視図である。
【図３】図１に示した本発明の第１実施形態によるビデオカメラの全体構成を説明するための正面図である。
【図４】図１に示した本発明の第１実施形態によるビデオカメラの内部構成を説明するためのブロック図である。
【図５】図４に示した本発明の第１実施形態によるビデオカメラの電圧変換供給回路を説明するための回路図である。
【図６】図４に示した本発明の第１実施形態によるビデオカメラの切り替え回路を説明するための回路図である。
【図７】図４に示した本発明の第２実施形態によるビデオカメラの切り替え回路を説明するための回路図である。
【図８】図４に示した本発明の第３実施形態によるビデオカメラの切り替え回路を説明するための回路図である。
【図９】図４に示した本発明の第３実施形態によるビデオカメラの切り替え回路を説明するための回路図である。
【図１０】本発明の第１〜第３実施形態によるビデオカメラの電圧変換供給回路の変形例を説明するための回路図である。
【符号の説明】
【００６４】
９                          システム電源
１２                        ストロボ用コンデンサ
１３                        電圧変換供給回路（電圧変換供給部）
１４、１４ａ、１４ｂ        切り替え回路
１４１、１４１ａ、１４１ｂ  第１電力供給部
１４２、１４２ａ、１４２ｂ  第２電力供給部
１５                        ＲＴＣ（時計機能を有する回路）
【図１】
0004613939.tif 000002
【図２】
0004613939.tif 000003
【図３】
0004613939.tif 000004
【図４】
0004613939.tif 000005
【図５】
0004613939.tif 000006
【図６】
0004613939.tif 000007
【図７】
0004613939.tif 000008
【図８】
0004613939.tif 000009
【図９】
0004613939.tif 000010
【図１０】
0004613939.tif 000011